(57)【要約】【課題】操作盤カバー錠を施錠位置から解錠位置に容易に変位させることができるエレベーターのかご操作盤を得る。【解決手段】保守運転盤４に設けられ、かご内照明装置８が点灯する点灯位置とかご内照明装置８が消灯する消灯位置との間で変位するかご内照明スイッチ９と、鍵穴６１を有し、保守運転盤４の開口部４１を開閉する操作盤カバー５が施錠される施錠位置と操作盤カバー５が解錠される解錠位置との間で変位する操作盤カバー錠６と、鍵穴６１を照らす鍵穴照明装置１０とを備え、鍵穴照明装置１０は、かご内照明スイッチ９の位置が消灯位置であり、操作盤カバー錠６の位置が施錠位置である場合に、鍵穴６１を照らす。【選択図】図２
2018150093.tif 000002
【特許請求の範囲】
【請求項１】
保守運転盤に設けられ、かご内照明装置が点灯する点灯位置と前記かご内照明装置が消灯する消灯位置との間で変位するかご内照明スイッチと、
鍵穴を有し、前記保守運転盤の開口部を開閉する操作盤カバーが施錠される施錠位置と前記操作盤カバーが解錠される解錠位置との間で変位する操作盤カバー錠と、
前記鍵穴を照らす鍵穴照明装置と
を備え、
前記鍵穴照明装置は、前記かご内照明スイッチの位置が前記消灯位置であり、前記操作盤カバー錠の位置が前記施錠位置である場合に、前記鍵穴を照らすエレベーターのかご操作盤。
【請求項２】
前記鍵穴照明装置は、前記かご内照明スイッチの位置が前記点灯位置である場合に前記鍵穴を照らすことを停止する請求項１に記載のエレベーターのかご操作盤。
【請求項３】
前記かご内照明スイッチを照らすスイッチ照明装置をさらに備え、
前記スイッチ照明装置は、前記かご内照明スイッチの位置が前記消灯位置であり、前記操作盤カバー錠の位置が前記解錠位置である場合に、前記かご内照明スイッチを照らす請求項１または請求項２に記載のエレベーターのかご操作盤。
【請求項４】
前記かご内照明スイッチを照らすスイッチ照明装置をさらに備え、
前記スイッチ照明装置は、前記かご内照明スイッチの位置が前記消灯位置であり、前記操作盤カバーの位置が開位置である場合に、前記かご内照明スイッチを照らす請求項１または請求項２に記載のエレベーターのかご操作盤。
【請求項５】
前記スイッチ照明装置は、前記かご内照明スイッチの位置が前記点灯位置である場合に前記かご内照明スイッチを照らすことを停止する請求項３または請求項４に記載のエレベーターのかご操作盤。
【請求項６】
保守点検中であるか否かを判定する保守点検判定装置をさらに備え、
前記鍵穴照明装置は、前記かご内照明スイッチの位置が前記消灯位置であり、前記操作盤カバー錠の位置が前記施錠位置であり、前記保守点検判定装置が保守点検中であると判定する場合に、前記鍵穴を照らす請求項１から請求項５までの何れか一項に記載のエレベーターのかご操作盤。
【請求項７】
前記保守点検判定装置は、点検スイッチの位置に基づいて、保守点検中であるか否かを判定する請求項６に記載のエレベーターのかご操作盤。
【請求項８】
前記保守点検判定装置は、保守作業者が所持する携帯端末装置との間で通信を行うことによって、保守点検中であるか否かを判定する請求項６または請求項７に記載のエレベーターのかご操作盤。
【発明の詳細な説明】
【技術分野】
【０００１】
この発明は、かご内照明スイッチを備えたエレベーターのかご操作盤に関する。
【背景技術】
【０００２】
従来、保守運転盤に設けられたかご内照明スイッチと、鍵穴を有し、保守運転盤の開口部を開閉する操作盤カバーが施錠される施錠位置と操作盤カバーが解錠される解錠位置との間で変位する操作盤カバー錠とを備えたエレベーターのかご操作盤が知られている（例えば、特許文献１参照）。
【先行技術文献】
【特許文献】
【０００３】
【特許文献１】特開平４−３１７９６４号公報
【発明の概要】
【発明が解決しようとする課題】
【０００４】
しかしながら、保守点検作業者が保守点検中にかごの外に一時的に出る場合に、かご内照明スイッチを点灯位置から消灯位置に変位させ、操作盤カバー錠を解錠位置から施錠位置に変位させるので、保守点検作業者が再びかごの中に入る場合に、かご内が暗いために保守点検作業者が鍵穴を見つけにくい場合がある。この場合、保守点検作業者は、鍵穴に鍵を入れて操作盤カバー錠を施錠位置から解錠位置に変位させることが難しいという問題点があった。
【０００５】
この発明は、操作盤カバー錠を施錠位置から解錠位置に容易に変位させることができるエレベーターのかご操作盤を提供するものである。
【課題を解決するための手段】
【０００６】
この発明に係るエレベーターのかご操作盤は、保守運転盤に設けられ、かご内照明装置が点灯する点灯位置とかご内照明装置が消灯する消灯位置との間で変位するかご内照明スイッチと、鍵穴を有し、保守運転盤の開口部を開閉する操作盤カバーが施錠される施錠位置と操作盤カバーが解錠される解錠位置との間で変位する操作盤カバー錠と、鍵穴を照らす鍵穴照明装置とを備え、鍵穴照明装置は、かご内照明スイッチの位置が消灯位置であり、操作盤カバー錠の位置が施錠位置である場合に、鍵穴を照らす。
【発明の効果】
【０００７】
この発明に係るエレベーターのかご操作盤によれば、鍵穴照明装置は、かご内照明スイッチの位置が消灯位置であり、操作盤カバー錠の位置が施錠位置である場合に、鍵穴を照らすので、かご内が暗い場合であっても、保守点検作業者は鍵穴を容易に見つけることができる。その結果、操作盤カバー錠を施錠位置から解錠位置に容易に変位させることができる。
【図面の簡単な説明】
【０００８】
【図１】この発明の実施の形態１に係るエレベーターのかご操作盤を示す正面図である。
【図２】図１のエレベーターのかご操作盤の要部を示すブロック図である。
【図３】この発明の実施の形態２に係るエレベーターのかご操作盤の要部を示すブロック図である。
【図４】この発明の実施の形態３に係るエレベーターのかご操作盤の要部を示すブロック図である。
【発明を実施するための形態】
【０００９】
実施の形態１．
図１はこの発明の実施の形態１に係るエレベーターのかご操作盤を示す正面図、図２は図１のエレベーターのかご操作盤の要部を示すブロック図である。図において、エレベーターのかご操作盤１００Ａは、各階に対応する複数の階床釦１と、エレベータードアの位置を戸開位置にするための開釦２と、エレベータードアの位置を戸閉位置にするための閉釦３と、開口部４１が形成された保守運転盤４と、開口部４１を開閉する操作盤カバー５と、操作盤カバー５の施錠および解錠を行う操作盤カバー錠６とを備えている。
【００１０】
操作盤カバー５は、開口部４１が開く開位置と、開口部４１が閉じられる閉位置との間で変位する。操作盤カバー５は、保守点検作業者が操作盤カバー５を操作することによって、開位置と閉位置との間で変位する。図１では、操作盤カバー５の位置が開位置である状態を示している。
【００１１】
操作盤カバー錠６は、操作盤カバー５が施錠される施錠位置と、操作盤カバー５が解錠される解錠位置との間で変位する。操作盤カバー錠６には、図示しない鍵が挿入される鍵穴６１が形成されている。操作盤カバー錠６は、操作盤カバー５の位置が閉位置である場合に、保守点検作業者が鍵を鍵穴６１に挿入して、操作盤カバー錠６を操作することによって、施錠位置と解錠位置との間で変位する。
【００１２】
また、このエレベーターのかご操作盤１００Ａは、保守運転盤４に設けられた複数の操作スイッチ７と、保守運転盤４に設けられ、かご内照明装置８を点灯させるためのかご内照明スイッチ９と、鍵穴６１を照らす鍵穴照明装置１０と、かご内照明スイッチ９を照らすスイッチ照明装置１１とを備えている。
【００１３】
操作スイッチ７およびかご内照明スイッチ９は、操作盤カバー５の位置が開位置である場合に、露出される。操作スイッチ７は、操作スイッチ７が露出されている場合、操作可能となる。かご内照明スイッチ９は、かご内照明スイッチ９が露出されている場合に、操作可能となる。
【００１４】
鍵穴照明装置１０は、鍵穴６１の周囲に配置されている。鍵穴照明装置１０が点灯することによって、鍵穴照明装置１０は鍵穴６１を照らす。鍵穴照明装置１０が鍵穴６１を照らすことによって、保守点検作業者は、かご内が暗い場合であっても鍵穴６１を目視することができる。
【００１５】
スイッチ照明装置１１は、かご内照明スイッチ９の周囲に配置されている。スイッチ照明装置１１が点灯することによって、スイッチ照明装置１１はかご内照明スイッチ９を照らす。スイッチ照明装置１１がかご内照明スイッチ９を照らすことによって、保守点検作業者は、かご内が暗い場合であってもかご内照明スイッチ９を目視することができる。
【００１６】
また、このエレベーターのかご操作盤１００Ａは、鍵穴照明装置１０およびスイッチ照明装置１１の点灯および消灯を制御する照明制御部１２と、操作盤カバー錠６の位置を検出するカバー錠位置検出装置１３と、かご内照明スイッチ９の位置を検出するスイッチ位置検出装置１４とを備えている。照明制御部１２には、カバー錠位置検出装置１３が検出した操作盤カバー錠６の位置情報と、スイッチ位置検出装置１４が検出したかご内照明スイッチ９の位置情報とが入力されるようになっている。
【００１７】
照明制御部１２は、かご内照明スイッチ９の位置が消灯位置であり、操作盤カバー錠６の位置が施錠位置である場合に、鍵穴照明装置１０を点灯させる。一方、照明制御部１２は、かご内照明スイッチ９の位置が点灯位置である場合に、鍵穴照明装置１０を消灯させる。
【００１８】
また、照明制御部１２は、かご内照明スイッチ９の位置が消灯位置であり、操作盤カバー錠６の位置が解錠位置である場合に、スイッチ照明装置１１を点灯させる。一方、照明制御部１２は、かご内照明スイッチ９の位置が点灯位置である場合に、スイッチ照明装置１１を消灯させる。
【００１９】
次に、エレベーターのかご操作盤１００Ａの動作について説明する。この例では、保守点検作業者が保守点検中にかごの外に一時的に出て、その後、保守点検作業者が再びかごの中に入る場合について説明する。まず、保守点検作業者は、かごの外に一時的に出る場合には、かご内照明スイッチ９の位置を点灯位置から消灯位置に変位させる。これにより、かご内照明装置８が消灯する。
【００２０】
その後、保守点検作業者は、操作盤カバー５を開位置から閉位置に変位させ、さらに、操作盤カバー錠６を解錠位置から施錠位置に変位させる。これにより、鍵穴照明装置１０は、鍵穴６１を照らす。
【００２１】
その後、保守点検作業者がかごの外に一時的に出て、その後、保守点検作業者が再びかごの中に入ると、保守点検作業者は、鍵穴６１に鍵を挿入し、操作盤カバー錠６を施錠位置から解錠位置に変位させる。このとき、鍵穴照明装置１０が鍵穴６１を照らしているので、保守点検作業者は、鍵穴６１を容易に目視することができる。また、操作盤カバー錠６が施錠位置から解錠位置に変位することによって、スイッチ照明装置１１は、かご内照明スイッチ９を照らす。その後、保守点検作業者は、操作盤カバー５を閉位置から開位置に変位させる。
【００２２】
その後、保守点検作業者は、かご内照明スイッチ９を消灯位置から点灯位置に変位させる。このとき、スイッチ照明装置１１がかご内照明スイッチ９を照らしているので、保守点検作業者は、かご内照明スイッチ９を容易に目視することができる。かご内照明スイッチ９が消灯位置から点灯位置に変位することによって、かご内照明装置８が点灯する。また、かご内照明スイッチ９が消灯位置から点灯位置に変位することによって、鍵穴照明装置１０は、鍵穴６１を照らすことを停止し、また、スイッチ照明装置１１は、かご内照明スイッチ９を照らすことを停止する。以上により、エレベーターのかご操作盤１００Ａの動作が終了する。
【００２３】
以上説明したように、この発明の実施の形態１に係るエレベーターのかご操作盤１００Ａによれば、鍵穴照明装置１０は、かご内照明スイッチ９の位置が消灯位置であり、操作盤カバー錠６の位置が施錠位置である場合に、鍵穴６１を照らすので、かご内が暗い場合であっても、保守点検作業者は鍵穴６１を容易に見つけることができる。その結果、操作盤カバー錠６を施錠位置から解錠位置に容易に変位させることができる。
【００２４】
また、鍵穴照明装置１０は、かご内照明スイッチ９の位置が点灯位置である場合に鍵穴を照らすことを停止するので、鍵穴照明装置１０による電気の消費を抑制することができる。
【００２５】
また、このエレベーターのかご操作盤１００Ａは、かご内照明スイッチ９の位置が消灯位置であり、操作盤カバー錠６の位置が解錠位置である場合に、スイッチ照明装置１１がかご内照明スイッチ９を照らすので、かご室が暗い場合であっても、保守点検作業者はかご内照明スイッチ９を容易に見つけることができる。その結果、操作スイッチ７を誤操作することなく、かご内照明スイッチ９を消灯位置から点灯位置に容易に変位させることができる。
【００２６】
また、スイッチ照明装置１１は、かご内照明スイッチ９の位置が点灯位置である場合にかご内照明スイッチ９を照らすことを停止するので、スイッチ照明装置１１による電気の消費を抑制することができる。
【００２７】
実施の形態２．
図３はこの発明の実施の形態２に係るエレベーターのかご操作盤の要部を示すブロック図である。エレベーターのかご操作盤１００Ｂは、操作盤カバー５の位置を検出するカバー位置検出装置１５をさらに備えている。照明制御部１２には、操作盤カバー錠６の位置情報と、かご内照明スイッチ９の位置情報と、操作盤カバー５の位置情報とが入力されるようになっている。
【００２８】
照明制御部１２は、かご内照明スイッチ９の位置が消灯位置であり、操作盤カバー錠６の位置が施錠位置である場合に、鍵穴照明装置１０を点灯させる。一方、照明制御部１２は、かご内照明スイッチ９の位置が点灯位置である場合に、鍵穴照明装置１０を消灯させる。
【００２９】
また、照明制御部１２は、かご内照明スイッチ９の位置が消灯位置であり、操作盤カバー５の位置が開位置である場合に、スイッチ照明装置１１を点灯させる。一方、照明制御部１２は、かご内照明スイッチ９の位置が点灯位置である場合に、スイッチ照明装置１１を消灯させる。その他の構成は、実施の形態２と同様である。
【００３０】
次に、エレベーターのかご操作盤１００Ｂの動作について説明する。この例では、保守点検作業者が保守点検中にかごの外に一時的に出て、その後、保守点検作業者が再びかごの中に入る場合について説明する。まず、保守点検作業者は、かごの外に一時的に出る場合には、かご内照明スイッチ９の位置を点灯位置から消灯位置に変位させる。これにより、かご内照明装置８が消灯する。
【００３１】
その後、保守点検作業者は、操作盤カバー５を開位置から閉位置に変位させ、さらに、操作盤カバー錠６を解錠位置から施錠位置に変位させる。これにより、鍵穴照明装置１０は、鍵穴６１を照らす。
【００３２】
その後、保守点検作業者がかごの外に一時的に出て、その後、保守点検作業者が再びかごの中に入ると、保守点検作業者は、鍵穴６１に鍵を挿入し、操作盤カバー錠６を施錠位置から解錠位置に変位させる。このとき、鍵穴照明装置１０が鍵穴６１を照らしているので、保守点検作業者は、鍵穴６１を容易に目視することができる。
【００３３】
その後、保守点検作業者は、操作盤カバー５を閉位置から開位置に変位させる。これにより、スイッチ照明装置１１は、かご内照明スイッチ９を照らす。
【００３４】
その後、保守点検作業者は、かご内照明スイッチ９を消灯位置から点灯位置に変位させる。このとき、スイッチ照明装置１１がかご内照明スイッチ９を照らしているので、保守点検作業者は、かご内照明スイッチ９を容易に目視することができる。かご内照明スイッチ９が消灯位置から点灯位置に変位することによって、かご内照明装置８が点灯する。また、かご内照明スイッチ９が消灯位置から点灯位置に変位することによって、鍵穴照明装置１０は、鍵穴６１を照らすことを停止し、また、スイッチ照明装置１１は、かご内照明スイッチ９を照らすことを停止する。以上により、エレベーターのかご操作盤１００Ｂの動作が終了する。
【００３５】
以上説明したように、この発明の実施の形態２に係るエレベーターのかご操作盤１００Ｂによれば、かご内照明スイッチ９の位置が消灯位置であり、操作盤カバー５の位置が開位置である場合に、スイッチ照明装置１１がかご内照明スイッチ９を照らすので、かご室が暗い場合であっても、保守点検作業者はかご内照明スイッチ９を容易に見つけることができる。その結果、操作スイッチ７を誤操作することなく、かご内照明スイッチ９を消灯位置から点灯位置に容易に変位させることができる。
【００３６】
実施の形態３．
図４はこの発明の実施の形態３に係るエレベーターのかご操作盤の要部を示すブロック図である。エレベーターのかご操作盤１００Ｃは、保守点検中であるか否かを判定する保守点検判定装置１６をさらに備えている。保守点検判定装置１６は、保守運転盤４または図示しないエレベーター制御盤に設けられた点検スイッチ１７の位置に基づいて、保守点検中であるか否かを判定する。点検スイッチ１７は、保守点検作業者が保守点検を行う再に操作するスイッチである。具体的には、保守点検作業者は、保守点検を行う場合に点検スイッチ１７の位置をオン位置とし、保守点検が終了した場合に点検スイッチ１７の位置をオフ位置とする。点検スイッチ１７の位置がオン位置の場合に、情報センターへの発報が停止される。
【００３７】
保守点検判定装置１６は、点検スイッチ１７の位置がオン位置である場合に、保守点検中であると判定し、点検スイッチ１７の位置がオフ位置である場合に、保守点検中ではないと判定する。
【００３８】
照明制御部１２には、カバー錠位置検出装置１３が検出した操作盤カバー錠６の位置情報と、スイッチ位置検出装置１４が検出したかご内照明スイッチ９の位置情報と、保守点検判定装置１６の判定結果とが入力されるようになっている。
【００３９】
照明制御部１２は、かご内照明スイッチ９の位置が消灯位置であり、操作盤カバー錠６の位置が施錠位置であり、保守点検判定装置１６が保守点検中であると判定する場合に、鍵穴照明装置１０を点灯させる。一方、照明制御部１２は、かご内照明スイッチ９の位置が点灯位置である場合に、鍵穴照明装置１０を消灯させる。
【００４０】
また、照明制御部１２は、かご内照明スイッチ９の位置が消灯位置であり、操作盤カバー錠６の位置が解錠位置であり、保守点検判定装置１６が保守点検中であると判定する場合に、スイッチ照明装置１１を点灯させる。一方、照明制御部１２は、かご内照明スイッチ９の位置が点灯位置である場合に、スイッチ照明装置１１を消灯させる。その他の構成は、実施の形態１と同様である。なお、実施の形態２と同様であってもよい。
【００４１】
次に、エレベーターのかご操作盤１００Ｃの動作について説明する。この例では、保守点検作業者が保守点検中にかごの外に一時的に出て、その後、保守点検作業者が再びかごの中に入る場合について説明する。まず、保守点検作業者は、点検スイッチ１７をオフ位置からオン位置に変位させる。その後、かごの外に一時的に出る場合には、かご内照明スイッチ９の位置を点灯位置から消灯位置に変位させる。これにより、かご内照明装置８が消灯する。
【００４２】
その後、保守点検作業者は、操作盤カバー５を開位置から閉位置に変位させ、さらに、操作盤カバー錠６を解錠位置から施錠位置に変位させる。これにより、鍵穴照明装置１０は、鍵穴６１を照らす。
【００４３】
その後、保守点検作業者がかごの外に一時的に出て、その後、保守点検作業者が再びかごの中に入ると、保守点検作業者は、鍵穴６１に鍵を挿入し、操作盤カバー錠６を施錠位置から解錠位置に変位させる。このとき、鍵穴照明装置１０が鍵穴６１を照らしているので、保守点検作業者は、鍵穴６１を容易に目視することができる。また、操作盤カバー錠６が施錠位置から解錠位置に変位することによって、スイッチ照明装置１１は、かご内照明スイッチ９を照らす。その後、保守点検作業者は、操作盤カバー５を閉位置から開位置に変位させる。
【００４４】
その後、保守点検作業者は、かご内照明スイッチ９を消灯位置から点灯位置に変位させる。このとき、スイッチ照明装置１１がかご内照明スイッチ９を照らしているので、保守点検作業者は、かご内照明スイッチ９を容易に目視することができる。かご内照明スイッチ９が消灯位置から点灯位置に変位することによって、かご内照明装置８が点灯する。また、かご内照明スイッチ９が消灯位置から点灯位置に変位することによって、鍵穴照明装置１０は、鍵穴６１を照らすことを停止し、また、スイッチ照明装置１１は、かご内照明スイッチ９を照らすことを停止する。その後、保守点検作業者は、点検スイッチ１７をオン位置からオフ位置に変位させる。以上により、エレベーターのかご操作盤１００Ｃの動作が終了する。
【００４５】
以上説明したように、この発明の実施の形態３に係るエレベーターのかご操作盤１００Ｃによれば、鍵穴照明装置１０は、かご内照明スイッチ９の位置が消灯位置であり、操作盤カバー錠６の位置が解錠位置であり、保守点検判定装置１６が保守点検中であると判定する場合に、鍵穴６１を照らすので、かご内が暗い場合であっても、保守点検作業者は鍵穴６１を容易に見つけることができる。その結果、操作盤カバー錠６を施錠位置から解錠位置に容易に変位させることができる。また、保守点検中ではない場合に鍵穴照明装置１０が鍵穴６１を照らさないことによって、鍵穴照明装置１０による電気の消費を抑制することができる。
【００４６】
また、保守点検判定装置１６は、点検スイッチ１７の位置に基づいて、保守点検中であるか否かを判定するので、保守点検中であることの判定を容易に行うことができる。
【００４７】
なお、上記実施の形態３では、保守点検判定装置１６は、点検スイッチ１７の位置に基づいて、保守点検中であるか否かを判定する構成について説明したが、これに限らず、例えば、保守点検判定装置１６は、保守作業者が所持するメンテナンス装置との間で通信を行うことによって、保守点検中であるか否かを判定する構成であってもよい。また、保守点検判定装置１６は、かご内の重量を測定する重量測定装置の測定結果を用いて、保守点検作業者がかごから外に一時的に出て再びかごの中に入ったことを判定して、保守点検中であるか否かを判定する構成であってもよい。また、保守点検判定装置１６は、かごに進入した人をカメラによって撮影し、撮影された画像を用いて、かごに進入した人が保守点検作業者であるか否かを判定し、この判定結果を用いて、保守点検中であるか否かを判定する構成であってもよい。
【符号の説明】
【００４８】
１  階床釦、２  開釦、３  閉釦、４  保守運転盤、５  操作盤カバー、６  操作盤カバー錠、７  操作スイッチ、８  かご内照明装置、９  かご内照明スイッチ、１０  鍵穴照明装置、１１  スイッチ照明装置、１２  照明制御部、１３  カバー錠位置検出装置、１４  スイッチ位置検出装置、１５  カバー位置検出装置、１６  保守点検判定装置、１７  点検スイッチ、４１  開口部、６１  鍵穴、１００Ａ、１００Ｂ、１００Ｃ  エレベーターのかご操作盤。
【図１】
2018150093.tif 000003
【図２】
2018150093.tif 000004
【図３】
2018150093.tif 000005
【図４】
2018150093.tif 000006